【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
自動車のホイールあるいはタイヤの被洗浄面に付着した汚れ等を洗浄する為のホイール等洗浄ブラシにおいて、前記ホイール等洗浄ブラシは、台座及びブラシ部を有し、前記ブラシ部は、複数のブラシ片にて前記台座の上部に植毛されてあり、前記ブラシ片の少なくとも１つは、芯部と外層部とを備え、前記芯部と前記外層部とが異なる硬度を有して長手方向に分子配向された被覆線材にて形成されてあると共に、該線材の外周面の少なくとも一部が被覆されてあることを特徴とするホイール等洗浄ブラシ。
【請求項２】
請求項１記載の構成よりなるホイール等洗浄ブラシにおいて、少なくともブラシ部の外周にブラシ片よりも大の機械的強度を有する補強部材が形成されてあることを特徴とするホイール等洗浄ブラシ。
【請求項３】
請求項２記載の構成よりなるホイール等洗浄ブラシにおいて、補強部材は、ブラシ部のブラシ片の毛丈よりも低く形成されてあると共に、前記ブラシ片よりも毛腰が大であることを特徴とするホイール等洗浄ブラシ。
【請求項４】
駆動源と、被洗浄面に散布する洗浄剤及び水を噴出させるノズルと、洗浄後の被洗浄面を乾燥させる乾燥手段を備えると共に、請求項１から３のいずれか１項に記載のホイール等洗浄ブラシを搭載した洗車機。
【手続補正２】
【補正対象書類名】明細書
【補正対象項目名】０００６
【補正方法】変更
【補正の内容】
【０００６】
本発明は、上記目的を達成する為に、第１の課題解決手段は、自動車のホイールあるいはタイヤの被洗浄面に付着した汚れ等を洗浄する為のホイール等洗浄ブラシにおいて、前記ホイール等洗浄ブラシは、台座及びブラシ部を有し、前記ブラシ部は、複数のブラシ片にて前記台座の上部に植毛されてあり、前記ブラシ片の少なくとも１つは、芯部と外層部とを備え、前記芯部と前記外層部とが異なる硬度を有して長手方向に分子配向された被覆線材にて形成されてあると共に、該線材の外周面の少なくとも一部が被覆されてある構成としたものである。
【手続補正３】
【補正対象書類名】明細書
【補正対象項目名】０００７
【補正方法】変更
【補正の内容】
【０００７】
また、第２の課題解決手段は、第１の課題解決手段のホイール等洗浄ブラシにおいて、少なくともブラシ部の外周にブラシ片よりも大の機械的強度を有する補強部材が形成されてある構成としたものである。
【手続補正４】
【補正対象書類名】明細書
【補正対象項目名】０００８
【補正方法】変更
【補正の内容】
【０００８】
また、第３の課題解決手段は、第２の課題解決手段のホイール等洗浄ブラシにおいて、補強部材は、ブラシ部のブラシ片の毛丈よりも低く形成されてあると共に、前記ブラシ片よりも毛腰が大である構成としたものである。
【手続補正５】
【補正対象書類名】明細書
【補正対象項目名】０００９
【補正方法】変更
【補正の内容】
【０００９】
また、第４の課題解決手段は、駆動源と、被洗浄面に散布する洗浄剤及び水を噴出させるノズルと、洗浄後の被洗浄面を乾燥させる乾燥手段を備えると共に、第1から第３の課題解決手段のいずれかに記載のホイール等洗浄ブラシを搭載した洗車機としたものである。
【手続補正６】
【補正対象書類名】明細書
【補正対象項目名】００１０
【補正方法】変更
【補正の内容】
【００１０】
本発明のホイール等洗浄ブラシは、台座及びブラシ部を有し、前記ブラシ部は、複数のブラシ片にて前記台座の上部に植毛されてあり、前記ブラシ片の少なくとも１つは、芯部と外層部とを備え、前記芯部と前記外層部とが異なる硬度を有して長手方向に分子配向された被覆線材にて形成されてあると共に、該線材の外周面の少なくとも一部が被覆されてある為、ブラシ片の長手方向の強度と剛性を高くでき毛倒れをし難くできるので、ブラシ用毛材の毛腰を強く設定した場合においても、被洗浄面である車体のホイール等にたいして、強い毛腰にて当接させることができると共に、ホィール等に傷を付着させることが無く、被洗浄面に付着している汚れを除去して高い洗浄性を発揮することができる非常に優れたものである。
【手続補正７】
【補正対象書類名】明細書
【補正対象項目名】００１１
【補正方法】変更
【補正の内容】
【００１１】
第１の発明は、自動車のホイールあるいはタイヤの被洗浄面に付着した汚れ等を洗浄する為のホイール等洗浄ブラシにおいて、前記ホイール等洗浄ブラシは、台座及びブラシ部を有し、前記ブラシ部は、複数のブラシ片にて前記台座の上部に植毛されてあり、前記ブラシ片の少なくとも１つは、芯部と外層部とを備え、前記芯部と前記外層部とが異なる硬度を有して長手方向に分子配向された被覆線材にて形成されてあると共に、該線材の外周面の少なくとも一部が被覆されてある為、被洗浄面に当接する外層部を芯部よりも硬度が低く、且つ柔らかい形態を採用した場合には、被洗浄面にたいして柔軟にブラシ片が当接するので、被洗浄面にブラシ痕等の傷が入ることが無い。また、ブラシ片としての毛腰が保持されると共に、被洗浄面にたいして毛腰が強く設定される。その為、ブラシ片の毛腰を強く設定しても、被洗浄面である車体に傷を付けることが無く、外層部よりも硬い芯部によりブラシ片の毛腰が強く設定できるので、ブラシ片は高い洗浄性を発揮することができる。
【手続補正８】
【補正対象書類名】明細書
【補正対象項目名】００１２
【補正方法】変更
【補正の内容】
【００１２】
第２の発明は、請求項１記載の構成よりなるホイール等洗浄ブラシにおいて、少なくともブラシ部の外周にブラシ片よりも大の機械的強度を有する補強部材が形成されてある為、被洗浄面にたいしてブラシ片が当接する際に、ブラシ片の毛倒れあるいは、毛癖の原因となる曲げ応力が常時加わり続けた場合においても、ホイール等洗浄ブラシのブラシ片は毛倒れあるいは、毛癖を発生しない。
【手続補正９】
【補正対象書類名】明細書
【補正対象項目名】００１３
【補正方法】変更
【補正の内容】
【００１３】
第３の発明は、請求項２記載の構成よりなるホイール等洗浄ブラシにおいて、補強部材は、ブラシ部のブラシ片の毛丈よりも低く形成されてあると共に、前記ブラシ片よりも毛腰が大である為、洗浄時には前記ブラシ片よりも毛腰が大の補強部材が毛丈を低く形成されてある為、補強部材が被洗浄面に直接接触する事が無い。その為、被洗浄面にブラシ痕等の傷が入ることが無い。また、被洗浄面にたいしてブラシ片が当接する際に、ブラシ片の毛倒れあるいは、毛癖の原因となる曲げ応力が常時加わり続けた場合においても、前記補強部材の毛腰が大の為、ホイール等洗浄ブラシのブラシ片は毛倒れあるいは、毛癖を発生しない。
【手続補正１０】
【補正対象書類名】明細書
【補正対象項目名】００１４
【補正方法】変更
【補正の内容】
【００１４】
第４の発明は、駆動源と、被洗浄面に散布する洗浄剤及び水を噴出させるノズルと、洗浄後の被洗浄面を乾燥させる乾燥手段を備えると共に、請求項１から３のいずれかに記載のホイール等洗浄ブラシを搭載した洗車機である為、被洗浄面にたいして、傷を付着させる事無く、毛腰を強く当接させることができる。その為、洗車機は、ホイール等洗浄ブラシを高速回転に設定すると共に、洗浄時間を短時間に設定した場合においても、被洗浄面に傷が付着する事無く、且つ洗浄残りの無い高い洗浄性が付与される。また、ホイール等洗浄ブラシの回転を、低速回転から高速回転等に急変させた場合においても、前記と同様の作用が洗車機に付与される。その為、被洗浄面である車体に傷を付ける事無く、非常に高い洗浄性が発揮できる洗車機を提供することができる。